(57)【特許請求の範囲】
【請求項１】
電気部品箱を備えた空気調和機本体と、
前記空気調和機本体に膨出形成され、前記電気部品箱が密着する絞り部と、
前記空気調和機本体および前記電気部品箱のいずれか一方に切起し加工により設けられた爪部と、
前記空気調和機本体および前記電気部品箱の他方に設けられ、前記爪部が嵌り込むとともに、前記電気部品箱が前記空気調和機本体の前記絞り部に沿ってスライドされることで前記爪部が掛止される孔部と、
前記爪部が前記孔部に掛止した位置で、前記電気部品箱を前記空気調和機本体にねじ止め固定する取付け部と、を具備し、
前記爪部は、互いに直交するように連続するとともに、前記空気調和機本体および前記電気部品箱のいずれか一方に連結された二つの連結辺と、互いに直交するように連続するとともに、前記空気調和機本体および前記電気部品箱のいずれか一方から切り離された連続する二つの切り離し辺と、を含む矩形状をなし、
前記孔部は、前記爪部が嵌り込むように開口された矩形状孔と、前記矩形状孔の一部から切り込まれ、前記電気部品箱がスライドされた時に前記爪部の一方の前記連結辺が嵌り込むことで当該連結辺に掛止される嵌合用切込みと、を含む空気調和機。
【請求項２】
前記爪部は、前記空気調和機の天板部に設けられ、
前記孔部は、前記電気部品箱の天板部に設けられ、
前記絞り部は、前記空気調和機本体の背面部に設けられ、
前記取付け部は、前記空気調和機本体の底板部および前記電気部品箱の底板部に夫々設けられた請求項１に記載の空気調和機。
【請求項３】
前記爪部および前記孔部は、前記電気部品箱のスライド方向に沿って互いに離間した複数の箇所に夫々設けられた請求項１に記載の空気調和機。
【発明の詳細な説明】
【技術分野】
【０００１】
本発明の実施形態は、たとえば天井吊下げ形の室内ユニットを有した空気調和機に関する。
【背景技術】
【０００２】
室内ユニットと室外ユニットとを含む空気調和機において、天井吊下げ形の室内ユニットが多用される。天井吊下げ形の室内ユニットは、いわゆる壁掛け形の室内ユニットのように部屋の壁面から突出するものではなく、天井裏の梁等から吊下げられ、ほとんど天井板に密着状態で取付けられて室内で圧迫感を感じさせることがない。【０００３】
この種の室内ユニットは、ユニット本体（筐体）内に、熱交換器が配置される熱交換室と、送風装置が配置される送風室とを仕切る仕切り板が設けられる。送風室には、電気部品箱が配置されている。この電気部品箱には、リモコン（遠隔操作装置）からの指示信号を受けて送風装置およびルーバ等を駆動制御する電気部品類が収容される。
【先行技術文献】
【特許文献】
【０００４】
【特許文献１】特開２０１２−９３０４４号公報
【発明の概要】
【０００５】
普通、電気部品箱は、送風室の送風装置とユニット本体背面板との間の、極く狭いスペースに配置される。電気部品箱の取付け構造は、たとえばユニット本体の天板部に設けた複数の爪部に、電気部品箱に設けた複数の孔部を引掛け、別の部位を互いにねじ止め固定する。孔部は、単なる直線スリット状の切欠きである。爪部は、矩形状をなし三辺が切り起される。
【０００６】
そのため、爪部は、一辺のみしか天板と繋がっていないので、強度的に不安がある。複数の孔部は、電気部品箱の板面に大きな面積で開口しているが、複数の爪部を同時に掛合しなければならず面倒である。また電気部品箱の位置を規制するものがないので、爪部を孔部に掛合しても、電気部品箱が狭いスペースで容易に移動し、ねじ止め固定するのに手間がかかる。
【０００７】
このような事情から、電気部品箱の掛合部の強度増大化および輸送時等の振動に対する剛性向上化と、取付け手間の容易化を図った空気調和機が求められている。
【０００８】
一つの実施形態に係る空気調和機は、電気部品箱を備えた空気調和機本体と、前記空気調和機本体に膨出形成され、前記電気部品箱が密着する絞り部と、前記空気調和機本体および前記電気部品箱のいずれか一方に切起し加工により設けられた爪部と、前記空気調和機本体および前記電気部品箱の他方に設けられ、前記爪部が嵌り込むとともに、前記電気部品箱が前記空気調和機本体の前記絞り部に沿ってスライドされることで前記爪部が掛止される孔部と、前記爪部が前記孔部に掛止した位置で前記電気部品箱を前記空気調和機本体にねじ止め固定する取付け部と、を具備している。
前記爪部は、互いに直交するように連続するとともに、前記空気調和機本体および前記電気部品箱のいずれか一方に連結された二つの連結辺と、互いに直交するように連続するとともに、前記空気調和機本体および前記電気部品箱のいずれか一方から切り離された連続する二つの切り離し辺と、を含む矩形状をなしている。
前記孔部は、前記爪部が嵌り込むように開口された矩形状孔と、前記矩形状孔の一部から切り込まれ、前記電気部品箱がスライドされた時に前記爪部の一方の前記連結辺が嵌り込むことで当該連結辺に掛止される嵌合用切込みと、を含んでいる。
【図面の簡単な説明】
【０００９】
【図１】図１は、一つの実施形態に係る、空気調和機の室内ユニットの外観斜視図である。
【図２】図２は、同実施形態に係る、室内ユニットの縦断面図である。
【図３】図３は、同実施形態に係る、室内ユニットの内部構造を示す底面図である。
【図４】図４は、同実施形態に係る、電気部品箱の表面側の斜視図である。
【図５】図５は、同実施形態に係る、電気部品箱の裏面側の斜視図である。
【図６】図６は、同実施形態に係る、電気部品箱を取付ける以前の室内ユニットの一部の内部構造を示す斜視図である。
【図７】図７は、同実施形態に係る、電気部品箱を取付けた状態の室内ユニットの一部の内部構造を示す斜視図である。
【図８Ａ】図８Ａは、同実施形態に係る、電気部品箱の取付け途中を説明する斜視図である。
【図８Ｂ】図８Ｂは、同実施形態に係る、電気部品箱の取付け途中の爪部と孔部の関係を説明する斜視図である。
【図８Ｃ】図８Ｃは、同実施形態に係る、電気部品箱の取付け途中の爪部と孔部の関係を説明する正面図である。
【図９Ａ】図９Ａは、同実施形態に係る、電気部品箱の取付けた状態を説明する斜視図である。
【図９Ｂ】図９Ｂは、同実施形態に係る、電気部品箱の取付けた状態の爪部と孔部の関係を説明する斜視図である。
【図９Ｃ】図９Ｃは、同実施形態に係る、電気部品箱の取付けた状態の爪部と孔部の関係を説明する正面図である。
【発明を実施するための形態】
【００１０】
以下、本実施形態に係る空気調和機を図面にもとづいて説明する。  
図１は、空気調和機の室内ユニットの外観斜視図である。図２は、室内ユニットの縦断面図である。図３は、室内ユニットの内部構造を示す底面図である。
【００１１】
図中１はユニット本体（空気調和機本体）である。ユニット本体１は、図示しない天井裏の梁等から吊り下げられた吊りボルトに引掛けられ、室内に露出するとともに天井面に極く近接した状態で取付けられる。このユニット本体１は、厚さ方向（高さ方向）寸法と比較して幅方向（水平方向）寸法が極めて大に形成される。
【００１２】
ユニット本体１は、下面を構成する底板部１ａと、吊り下げられた状態で天井と近接する上面を構成する天板部１ｂと、これら底板部１ａと天板部１ｂとを連結する左右一対の側板部１ｃおよび背面部１ｄとを含む。
【００１３】
前記底板部１ａには、この幅方向と直交する前後方向の略半分程度で、幅方向に沿うグリル１０とフィルタ１１が着脱自在に嵌め込まれた吸込み口２が設けられる。ユニット本体１の前面部に、水平ルーバ１２が開閉自在に取り付けられた吹出し口３が設けられている。
【００１４】
ユニット本体１内部には、仕切り板６が設けられる。この仕切り板６は、先に説明したグリル１０が嵌め込まれる吸込み口２の一側縁に沿って立設され、ユニット本体１の天板部１ｂに当接するように延出される。また、仕切り板６は、左右の側板部１ｃに当接するように延出され、ユニット本体１内を二室Ａ，Ｂに区画している。
【００１５】
すなわち、ユニット本体１内部は、仕切り板６を挟んで、吸込み口２側に位置した送風室Ａと、吹出口３側に位置した熱交換室Ｂとが形成される。送風室Ａは、送風装置Ｓ、および送風装置Ｓ等を駆動制御する電気部品を収容する電気部品箱９が後述するように配置される。熱交換室Ｂは、室内熱交換器５が配置される。
【００１６】
前記送風室Ａに配置される送風装置Ｓは、両側面から回転軸が突出する二軸のファンモータ１５と、このファンモータ１５の左右それぞれの回転軸に嵌着される１個もしくは２個のファンと、それぞれのファンを収容するファンケース１７とを含む。
【００１７】
ファンモータ１５がファンを回転駆動すると、ファンは軸方向から風を吸い込んで周方向から吹出す。ファンケース１７には、回転軸周囲に吸込み用の開口部を備えるとともに、仕切り板６を貫通して熱交換室Ｂへ突出する吹出し口体１７ａが一体に設けられる。
【００１８】
一方、送風室Ａに配置される電気部品箱９は、ファンケース１７とユニット本体１壁面である背面部１ｄとの間に形成される狭小のスペース（隙間）に介挿され、後述するように取付け固定される。
【００１９】
前記熱交換室Ｂには、前記室内熱交換器５と、ドレン受け７とが収容される。ドレン受け７は、室内熱交換器５の下部に位置する。室内熱交換器５は、ユニット本体１が縦方向寸法を極力短縮して形成されるため、極く傾いた状態で斜めにして配置される。
【００２０】
前記ドレン受け７は、たとえば厚肉の合成樹脂材から形成されている。ドレン受け７は、斜めに傾けた室内熱交換器５から冷凍サイクル運転にともなって生成され滴下するドレン水滴の全てを受けられるように、熱交換室Ｂの底面のほとんど全部を占める面積に形成される。
【００２１】
そして、ドレン受け７は、ドレンホースが接続されていて、送風室Ａの隅部に配置されるドレンポンプ装置Ｄに連通する。ドレンポンプ装置Ｄは、ドレン受け７に集溜するドレン水を汲み上げて所定の部位へ排水する。
【００２２】
前記熱交換室Ｂ上部には、室内熱交換器５の上端部を支持する上部断熱材３０が設けられている。上部断熱材３０は、前記室内熱交換器５の冷凍サイクル作用にともなう発熱（温熱・冷熱）がユニット本体１を形成する板材に伝達しないように、前記ドレン受け７と同様、厚肉に形成される。
【００２３】
つぎに、前記送風室Ａに配置される電気部品箱９について説明する。  
図４は、電気部品箱９の前面側の斜視図である。図５は、電気部品箱９の背面側の斜視図である。
【００２４】
電気部品箱９は、それぞれ板金加工される箱本体９Ａと蓋板９Ｂとを含む。箱本体９Ａは、その一面全部が開口している。この開口から、箱本体９Ａの内部に図示しない基板と電気部品類が取付けられる。また、基板を取付けるための固定具の一部が、箱本体９Ａの背面側へ突出する。蓋板９Ｂには、剛性保持のための膨出部２０が設けられる。蓋板９Ｂは、箱本体９Ａの開口部に嵌め込まれて、箱本体９Ａの内部を覆う。
【００２５】
箱本体９Ａと蓋板９Ｂの、図の上端部には左右一対の取付け用舌片２１，２２が設けられている。箱本体９Ａの取付け用舌片２１に、蓋板９Ｂの取付け用舌片２２が、取付けねじ２３を介してねじ止め固定される。箱本体９Ａの取付け用舌片２１には、ユニット本体１に設けられる後述する取付け部に固定するための取付けねじ２４が取付けられる。
【００２６】
図５のみに示すように、電気部品箱９の図の下端部には、左右一対の孔部２５が設けられる。それぞれの孔部２５は、矩形状をなす矩形状孔２５ａと、嵌合用切込み２５ｂとを含む。嵌合用切込み２５ｂは、矩形状孔２５ａの電気部品箱９の長手方向に沿う一辺部のみを長手方向に沿って延長する。
【００２７】
実際に、電気部品箱９をユニット本体１の送風室Ａに収容配置するには、図の上下が逆になる。すなわち、孔部２５が設けられた端部が天板部９ｂ側となり、取付け用舌片２１，２２が設けられた端部が底板部９ａ側となる。図４に示す、膨出部２０が設けられる蓋板９Ｂは、送風装置Ｓ側に向く。
【００２８】
図６は、電気部品箱９を取付ける以前のユニット本体１の一部の内部構造を示す斜視図である。ここでも説明し易いように、ユニット本体１の向きを実際とは異ならせて描いている。
【００２９】
ユニット本体１の図６における下端部は、背面部１ｄである。この背面部１ｄの一部には、ユニット本体１の内部側に膨出形成された絞り部２８が設けられている。絞り部２８は、長孔状の逃げ孔ａを備える。ユニット本体１の図６における手前側の開口部には、後程、下面を構成する底板部１ａが取付けられる。底板部１ａが背面部１ｄと交わる部位に、それぞれねじ孔を備えた左右一対の取付け部２９が設けられている。一対の取付け部２９は、互いに所定間隔だけ離間した位置に設けられる。
【００３０】
さらに、ユニット本体１の図６における背面側は、天板部１ｂになっていて、送風装置Ｓの構成部品であるファンケース１７と背面部１ｄとの中間部に、左右一対（一方のみ図示）の爪部３１が設けられる。一対の爪部３１は、所定間隔だけ離間した位置に設けられる。各爪部３１は、後述するように構成されていて、それぞれ取付け部２９の略延長上に対向する位置に設けられる。
【００３１】
図７は、電気部品箱９を取付けた状態のユニット本体１の内部構造を示す斜視図である。やはり説明し易いように、ユニット本体１の向きを図６に合わせて描いている。  
図の状態で、電気部品箱９は、ユニット本体１の背面部１ｄに載る。詳しくは、電気部品箱９は、背面部１ｄに設けられる絞り部２８上に載る。電気部品箱９の箱本体９Ａから突出する基板固定具は、絞り部２８に設けられる長孔状の逃げ孔ａに挿入される。
【００３２】
電気部品箱９の箱本体９Ａに設けられる取付け用舌片２１は、ユニット本体１に設けられる取付け部２９に重ね合わされ、位置決め後に取付けねじを介して取付け固定される。電気部品箱９に設けられる、ここでは図示しない孔部２５は、後述するようにユニット本体１の図示しない爪部に嵌め込まれて固定される。
【００３３】
このように送風室Ａにおいて電気部品箱９は、送風装置Ｓとユニット本体背面部１ｄとの間の狭小のスペースに取付けられる。なお説明すると、電気部品箱９は、孔部２５がユニット本体１の天板部１ｂの爪部３１に掛合するとともに、背面部１ｄの端部にねじ固定される。
【００３４】
図８Ａは、電気部品箱９をユニット本体１へ取付ける作業における最初の手順を説明するための図である。この図８Ａは、理解し易いように蓋板９Ｂを取外し、箱本体９Ａのみを示している。図の下部側板面がユニット本体１の背面部１ｄである。この背面部１ｄに設けられる絞り部２８上に電気部品箱９が載る。
【００３５】
図示しないグリル１０を取付けるための背面部１ｄの端部には、取付け部２９が膨出形成されている。取付け部２９は、電気部品箱９に設けられる取付け用舌片２１とは位置がずれた状態となっている。
【００３６】
ユニット本体１の図における奥側の板面が天板部１ｂである。この天板部１ｂに設けられる爪部３１に電気部品箱９に設けられる孔部２５が挿入され、ゆるく嵌め込まれている。したがって、爪部３１に孔部２５を嵌め込む作業は極く容易に行うことができる。
【００３７】
図８Ｂと図８Ｃは、ユニット本体１に切起し加工により設けられる爪部３１と、電気部品箱９に設けられる孔部２５との関係を拡大して示す斜視図と正面図である。  
爪部３１は、矩形状に切起し形成されている。特に図８Ｃにハッチングで示す爪部３１の上辺部３１ａと左側辺部３１ｂとの連続する二辺部がユニット本体１と連結する連結辺である。一方で、ハッチングのない爪部３１の下辺部３１ｃと右側辺部３１ｄの連続する二辺部がユニット本体１とは切り離された切り離し辺部である。
【００３８】
ユニット本体１から切起される爪部３１の切起し高さは、少なくとも電気部品箱９の構成部品である箱本体９Ａの板厚よりもある程度高く設ける必要がある。  
一方で、孔部２５は、矩形状孔２５ａと、嵌合用切込み２５ｂとを含む。矩形状孔２５ａは、爪部３１の矩形状よりも左右上下にある程度大きく形成される。嵌合用切込み２５ｂは、矩形状孔２５ａの図における特に上部から、水平方向に切り込まれる。
【００３９】
なお、嵌合用切込み２５ｂについて説明すると、嵌合用切込み２５ｂは、爪部３１のユニット本体１と連結された上辺部３１ａの延長上に沿って形成される。嵌合用切込み２５ｂの長さ寸法Ｌは、爪部３１の上辺部３１ａの長さと略同一、もしくは上辺部３１ａの長さよりも短く設けられる。そして、嵌合用切込み２５ｂの上下幅寸法ｈは、ユニット本体１の板厚よりも僅かに大に設けられる。
【００４０】
このようにして、電気部品箱９の箱本体９Ａである背面部９ｄをユニット本体１の背面部１ｄに設けられる絞り部２８上に載せ、電気部品箱９の孔部２５の一部を構成する矩形状孔２５ａをユニット本体１の爪部３１に緩く嵌め込んだうえに、電気部品箱９を図の左方向へスライド付勢する。
【００４１】
この状態で、矩形状孔２５ａの上部で、かつ水平方向に切り込まれる嵌合用切込み２５ｂに、爪部３１の連結辺である上辺部３１ａが入り込む。孔部２５の一部を構成する矩形状孔２５ａは、爪部３１が切起された後の切起し孔とは位置がずれることになる。
【００４２】
図９Ａは、電気部品箱９をユニット本体１の所定位置までスライド付勢した状態を示す斜視図である。図９Ｂは、そのときの孔部２５と爪部３１の状態を示す斜視図である。図９Ｃは、同じく孔部２５と爪部３１の正面図である。
【００４３】
上述したように、爪部３１の切起し高さは、電気部品箱９の構成部品である箱本体９Ａの板厚よりも大に設定されている。このため、電気部品箱９を所定方向へスライド付勢すると、ユニット本体１の爪部３１の一部を構成する上辺部３１ａが電気部品箱９の孔部２５の一部を構成する嵌合用切込み２５ｂに嵌り込むとともに、爪部３１と切起し孔に矩形状孔２５ａが徐々に対向する。
【００４４】
ついには、嵌合用切込み２５ｂの末端部が爪部３１の上辺部３１ａの末端部に掛止して、それ以上のスライド付勢が規制される。嵌合用切込み２５ｂと上辺部３１ａとの長さの設定から、上辺部３１ａは、嵌合用切込み２５ｂのほとんど大部分に嵌り込む。しかも、爪部３１と孔部２５は互いに左右一対ずつ設けられているので、電気部品箱９はどの位置においても並行に、傾くことなく正しい姿勢が保持される。
【００４５】
このとき電気部品箱９の取付け用舌片２１に設けられる取付け用孔は、ユニット本体１に膨出形成される取付け部２９に設けられるねじ孔に正しく対向する。そこで、取付け用孔を介してねじ孔に取付けねじ２４を螺挿する。その一方で、電気部品箱９の背面部９ｄはユニット本体１の背面部１ｄに設けられる絞り部２８に当接しながら絞り部２８上をスライドする。
【００４６】
結局、電気部品箱９は、図１、図３および図５に示すように、送風室Ａの送風装置Ｓの一部を構成するファンケース１７とユニット本体１の背面部１ｄとの間の狭小のスペースに収容配置される。電気部品箱９の背面部９ｄは、ユニット本体１の背面部１ｄの絞り部２８に密着し、孔部２５の一部を構成する嵌合用切込み２５ｂには、爪部３１の上辺部３１ａが嵌り込む。
【００４７】
このことから、ユニット本体１の背面部１ｄと送風装置Ｓのファンケース１７との間隔が極く狭いものであっても、電気部品箱９をファンケース１７に接触させることなく、電気部品箱９の位置規制を確実にして配置できる。
【００４８】
そして、電気部品箱９の取付け用舌片２１に設けられる取付け用孔と、ユニット本体１の取付け部２９に設けられるねじ孔に取付けねじ２４を螺挿するので、電気部品箱９は確実に固定できる。
【００４９】
特に、電気部品箱９の孔部２５をユニット本体１の爪部３１に挿入し、電気部品箱９を所定方向にスライドするだけで、ユニット本体１と送風装置Ｓに対する位置決めが容易に可能となる。この取付けも、取付けねじ２４が最小（２個）ですみ、作業性の向上と、作業時間の短縮化を図れる。  
メンテナンス時に取付けねじ２４を外しても、電気部品箱９はユニット本体１に掛止したままであり、落下しないので、安全性を確保できる。
【００５０】
爪部３１を矩形状の切起しとし、連続する二辺３１ｃ、３１ｄをユニット本体１から切り離した切り離し辺とし、他の連続する二辺３１ａ，３１ｂをユニット本体１と連結する連結辺としたから、爪部３１の剛性増大を図ることができ、たとえば輸送時の衝撃荷重に充分耐え得ることになる。
【００５１】
爪部３１および孔部２５をユニット本体１と電気部品箱９のそれぞれ天板部１ｂ，９ｂに設け、絞り部２８はユニット本体１の背面部１ｄに設け、取付け部２９と取付け用舌片２１はユニット本体１と電気部品箱９のそれぞれ底板部１ａ，９ａに設けたから、電気部品箱９の位置決めを容易に得られるとともに、ユニット本体１の剛性向上を図れる。
【００５２】
なお、ユニット本体１に爪部３１を設け、電気部品箱９に孔部２５を設けたが、これに限定されるものではなく、逆に、ユニット本体１に孔部２５を設け、電気部品箱９に爪部３１を設けても、上述のような組立てが可能である。
【００５３】
さらに、一つの実施形態として天井吊下げ形の空気調和機を説明したが、本発明はこれに限定されるものではない。本発明は、天井板の裏側に配置され、吸込み口と吹出し口にダクトが接続される天井埋込み形の空気調和機にも適応可能なことは言うまでもない。
【００５４】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【図１】
0006019217.tif 000002
【図２】
0006019217.tif 000003
【図３】
0006019217.tif 000004
【図４】
0006019217.tif 000005
【図５】
0006019217.tif 000006
【図６】
0006019217.tif 000007
【図７】
0006019217.tif 000008
【図８Ａ】
0006019217.tif 000009
【図８Ｂ】
0006019217.tif 000010
【図８Ｃ】
0006019217.tif 000011
【図９Ａ】
0006019217.tif 000012
【図９Ｂ】
0006019217.tif 000013
【図９Ｃ】
0006019217.tif 000014